(57)【要約】【課題】色信号と輝度信号或いは色差信号と輝度信号のような複数種類の映像信号を伝送可能なＡＶ機器とケーブルとを接続する端子の形状を簡略化することで、小型化と使用者の簡便性とを向上することができる映像信号用端子構造を提供する。【解決手段】円柱状の中央ピン１１４と、円筒形状ピン１１３と、中央ピン１１４と円筒形状ピン１１３には異なる信号用の信号線２が接続されているプラグ１１と、プラグ１１の中央ピン１１４及び円筒形状ピン１１３が挿入され、内部に複数個の接続部１２３、１２４を備えたレセプタクル１２とを有する映像信号用端子１。【選択図】図３
2008294874.tif 000002
【特許請求の範囲】
【請求項１】
映像信号を送受信するための映像信号用端子であって、
導電性を有する円柱状の中央ピンと、導電性を有し前記中央ピンの外径よりも大きな外径及び内径持つように形成された円筒形状ピンとを備え、前記中央ピンと前記円筒形状ピンには異なる信号用の信号線が接続されているプラグと、
前記プラグの中央ピン及び前記円筒形状ピンが挿入され、内部に前記中央ピン及び前記円筒形状ピンの外面と個別に接触する接続部を備えたレセプタクルとを有しており、
前記中央ピンと前記円筒形状ピンとは互いに絶縁されており、前記中央ピンは前記円筒形状ピンの内部に中心軸が一致するとともに軸方向の先端が前記円筒形状ピンの先端より突出するように配置されていることを特徴とする映像信号用端子。
【請求項２】
前記プラグは外径及び内径の異なる前記円筒形状ピンを複数個備えており、
前記複数個の円筒形状ピンは中心軸が一致するとともに、外径が小さい円筒形状ピンが外径が大きい円筒形状ピンの先端中央より突出するように配置されており、
前記中央ピンは前記複数個の円筒形状ピンのうち、最も外径が小さい円筒形状ピンの先端中央より突出するように配置されていることを特徴とする請求項１に記載の映像信号用端子。
【請求項３】
前記信号線は、少なくとも輝度信号が送信される輝度信号用信号線と、色信号が送信される色信号用信号線とを有していることを特徴とする請求項１又は請求項２に記載の映像信号用端子。
【請求項４】
前記信号線は、少なくとも輝度信号を送信する輝度信号用信号線と、色差信号Ｃｂを送信する色差信号Ｃｂ用信号線と、色差信号Ｃｒを送信する色差信号Ｃｒ用信号線とを備えていることを特徴とする請求項２に記載の映像信号用端子。
【発明の詳細な説明】
【技術分野】
【０００１】
本発明は、ＡＶ機器間で映像信号を送受信するためのケーブルの先端に取り付けられる着脱可能な映像信号用端子に関するものである。
【背景技術】
【０００２】
ＡＶ機器同士を接続して映像信号及び（又は）音声信号を送受信する場合、ケーブルを用いて接続されることが多い。前記ＡＶ機器と前記ケーブルとを接続するための様々なＡＶ端子が知られている。ＡＶ端子として、たとえば、コンポジット端子、Ｓ端子、コンポーネント端子等がよく用いられている。コンポジット端子は主にＶＨＳ、Ｓ端子はＳ−ＶＨＳ映像に用いられている。また、３つに分かれたコンポーネント端子は、さらに高機能のＡＶ機器の接続に用いられている。
【０００３】
これらのＡＶ端子は前記ケーブルの端部に取り付けられたプラグと、前記ＡＶ機器に取り付けられたレセプタクルを備えており、前記レセプタクルに前記プラグを挿入することで接続される。前記コンポジット端子のプラグは中心に突設された１本のピンを備えた、いわゆる、ピンプラグ形状で形成されている。一方、Ｓ端子は４本の細いピンが非点対称な位置より突設されたプラグ形状を有するものである。また、コンポーネント端子はＹ（輝度信号）端子、Ｃｒ（色差信号）端子、Ｃｂ（色差信号）端子の３個の独立した端子を備えたものである。
【０００４】
現在、ＡＶ機器にはこれらのＡＶ端子が複数搭載されており、複数の外部機器と接続することができるようになっている（特開平１１−３１３２５３号公報、特開平８−７９６３６号公報参照）。
【特許文献１】特開平１１−３１３２５３号公報
【特許文献２】特開平８−７９６３６号公報
【発明の開示】
【発明が解決しようとする課題】
【０００５】
しかしながら、前記Ｓ端子の場合、前記プラグは細いピンが４本突設された形状を有するものであり、取り扱いを誤ってピンを折り曲げてしまったり、折ってしまったりして、使えなくなってしまう場合がある。また、４本のピンが独立して立設されているので、前記レセプタクルと前記プラグとを回転させることができず、前記ケーブルがねじれて、前記プラグが回転しようとすると、前記プラグに無理な力がかかり破損や断線の原因になってしまうことがある。
【０００６】
また、コンポーネント端子の場合、３個の独立した端子を備えているので、端子を設置するための場所が多く必要となる。さらに、ＡＶ機器では多くの場合、前記レセプタクルは背面に形成されており、通常、背面はケースの背面や室内の壁面と向かい合うように設置されるので、前記Ｓ端子の場合その方向がわかりづらく接続に手間取ることがあり、前記コンポーネント端子の場合、３個の端子を確認して接続しなくてはならないので、手間がかかる。
【０００７】
そこで本発明は、色信号と輝度信号或いは色差信号と輝度信号のような複数種類の映像信号を伝送可能なＡＶ機器とケーブルとを接続する端子の形状を簡略化することで、小型化と使用者の簡便性とを向上することができる映像信号用端子構造を提供することを目的とする。
【課題を解決するための手段】
【０００８】
上記目的を達成するため本発明は、映像信号を送受信するための映像信号用端子であって、導電性を有する円柱状の中央ピンと、導電性を有し前記中央ピンの外径よりも大きな外径及び内径持つように形成された円筒形状ピンとを備え、前記中央ピンと前記円筒形状ピンには異なる信号用の信号線が接続されているプラグと、前記プラグの中央ピン及び前記円筒形状ピンが挿入され、内部に前記中央ピン及び前記円筒形状ピンの外面と個別に接触する接続部を備えたレセプタクルとを有しており、前記中央ピンと前記円筒形状ピンとは互いに絶縁されており、前記中央ピンは前記円筒形状ピンの内部に中心軸が一致するとともに軸方向の先端が前記円筒形状ピンの先端より突出するように配置されていることを特徴とする。
【０００９】
この構成によると、複数種類の映像信号を１つのプラグ及びレセプタクルで送受信することができる。これにより、接続端子の取り付けスペースを削減することが可能である。
【００１０】
また、前記プラグが同一中心軸を有する円柱状の中央ピンと円筒形状ピンで形成されているので、前記プラグが回転するように力が付勢された場合であっても、前記プラグ及び前記レセプタクルに無理な力がかかりにくく、それだけ、信号線の切断やプラグ又はレセプタクルの破損等の不具合が発生しにくい。
【００１１】
さらに、前記円柱状の中央ピンと前記円筒形状ピンの中心軸が一致するように形成されているので、前記レセプタクルがＡＶ機器の背面、下面等の使用者が視認しにくい場所にある場合でも、前記プラグを前記レセプタクルに容易に挿入・接続させることが可能である。
【００１２】
上記構成において、前記プラグは外径及び内径の異なる前記円筒形状ピンを複数個備えており、前記複数個の円筒形状ピンは中心軸が一致するとともに、外径が小さい円筒形状ピンが外径が大きい円筒形状ピンの先端中央より突出するように配置されており、前記中央ピンは前記複数個の円筒形状ピンのうち、最も外径が小さい円筒形状ピンの先端中央より突出するように配置されているものであってもよい。
【００１３】
また、上記構成において、前記信号線は、少なくとも輝度信号が送信される輝度信号用信号線と、色信号が送信される色信号用信号線とを有しているものであってもよい。
【００１４】
さらに、上記構成において、前記信号線は、少なくとも輝度信号を送信する輝度信号用信号線と、色差信号Ｃｂを送信する色差信号Ｃｂ用信号線と、色差信号Ｃｒを送信する色差信号Ｃｒ用信号線とを備えているものであってもよい。
【発明の効果】
【００１５】
本発明によると、色信号と輝度信号或いは色差信号と輝度信号のような複数種類の映像信号を伝送可能なＡＶ機器とケーブルとを接続する端子の形状を簡略化することで、小型化と使用者の簡便性とを向上することができる映像信号用端子構造を提供することができる。
【発明を実施するための最良の形態】
【００１６】
以下に本発明の実施形態を図面を参照して説明する。図１は本発明にかかる映像信号用端子の一例を示す図である。図１に示す映像信号用端子はそれには限定されないがここでは入力端子である。映像用端子１は異なるＡＶ機器同士をケーブル２を介して接続するときに、ケーブルとＡＶ機器とを接続するのに用いられる端子である。図１に示すＡＶ機器はそれには限定されないが、ここではＤＶＤレコーダ３である。
【００１７】
映像用端子１はケーブル２に取り付けられたプラグ１１と、ＤＶＤレコーダ３に取り付けられるレセプタクル１２とを有している。映像用端子１は色信号Ｃと輝度信号Ｙとを個別の信号線を用いて送信するケーブル２をＤＶＤレコーダ３に接続するときに用いられるものである。
【００１８】
図２は図１に示す映像信号用端子のプラグの断面図である。図２に示すように、映像用端子１のプラグ１１は樹脂で形成された中空の本体部１１１と、本体部１１１に挿入され一部が本体部１１１より突出し導電性を備えるとともに円筒形状を有する接地ピン１１２と、本体部１１１に挿入され一部が本体部１１１より突出した接地ピン１１２と同一中心軸を有する円筒形状ピン１１３と、円筒形状ピン１１３よりも小径で形成されており円筒形状ピン１１３の先端部より突出した中央ピン１１４とを有している。
【００１９】
図２に示すように、円筒形状ピン１１３は中央ピン１１４よりも大径の円筒形状を有して形成されている。中央ピン１１４は絶縁部材１１５を介して第１ピン１１３の内部に配置されている。第１ピン１１３は絶縁部材１１６を介して接地ピン１１２の内部に配置されている。円筒形状ピン１１３、中央ピン１１４及び接地ピン１１２は図示を省略しているが、本体部１１１にずれないように固定されている。
【００２０】
図２に示すようにケーブル２は輝度信号Ｙ用の第１信号線２１と、色信号Ｃ用の第２信号線２２と、接地線２３とを有している。これらの電線は外周部を絶縁性を有する被覆部材で覆われており、これらの３本の電線が並んで配置されているものであってもよく、これらの３本の電線がまとめられてさらにひとつの被覆部材に覆われているものであってもよい。
【００２１】
図２に示すように、接地線２３は接地ピン１１２と電気的に接続されている。また、第１信号線２１は円筒形状ピン１１３と、第２信号線２２は中央ピン１１４とそれぞれ電気的に接続されている。これらの接続は、それには限定されないがここでははんだ付けにて行われるものである。はんだ付け以外にも、かしめ、圧着等の固定及び電気信号の搬送が確実に行えるものを広く採用することが可能である。
【００２２】
図３は図１に示す映像信号用端子のレセプタクルの断面図である。図３に示すレセプタクル１２は、中空の直方体形状のケース１２１と、接地ピン１１２と当接する接地部１２２と、ケース１２１内部に配置された第１接続部１２３と、第２接続部１２４とを有している。ケース１２１はＤＶＤレコーダ３に固定されている。接地部１２２はＤＶＤレコーダ３の外部に露出した円筒形状の部材であり、中空の部分を通過してプラグ１１の円筒形状ピン１１３及び中央ピン１１４がケース１２１の内部に挿入される。接地部１２２は接地ピン１１２を支持している。また、接地部１２２の内壁部は絶縁性を有する材料で形成されているとともに、プラグ１１の円筒形状ピン１１３と非接触となるように形成されている。
【００２３】
第１接続部１２３はプラグ１１がレセプタクル１２に挿入されている状態のときに、円筒形状ピン１１３と接触し、円筒形状ピン１１３より輝度信号Ｙが入力される。また、第２接続部１２４は中央ピン１１４と接触し、中央ピン１１４より色信号Ｃが入力される。第１接続部１２３及び第２接続部１２４は独立して図示を省略した映像生成装置に接続されている。
【００２４】
上述した映像用端子１は、入力端子であったが、出力端子でも同様である。このように、輝度信号Ｙ用のピン（円筒形状ピン１１３）と、色信号Ｃ用のピン（中央ピン１１４）とを同一中心軸になるように形成することで、ピンを並べて配置するものに比べてピン自体を太くすることができるので、プラグ１１をレセプタクル１２に挿入するときにピンが変形するのを抑制することができる。このことにより、使用者によってレセプタクル１２に対してプラグ１１が何度も抜き差しされる場合であっても、映像信号用端子が変形するのを抑制でき、映像信号の送受信が正確に行われないなどの不具合が発生するのを抑制することができる。
【００２５】
また、ピンを含む端子の断面形状が点対称形状になるので、プラグ１１をレセプタクル１２に挿入するときに方向を気にしなくてもよい。以上のことより、使用者がレセプタクル１２にプラグ１１を取り付けるときに簡単に実行することができる。
【００２６】
本発明にかかる映像信号用端子の他の例を図面を参照して説明する。図４は本発明にかかる映像信号用端子の他の例の側面図であり、図５は図４に示す映像信号用端子のプラグの断面図であり、図６は図４に示す映像信号用端子の接続状態を示す図である。
【００２７】
映像用端子４はケーブル５に取り付けられたプラグ４１と、ＤＶＤレコーダ３に取り付けられるレセプタクル４２とを有している。映像用端子４は色差信号Ｃｂ、Ｃｒと輝度信号Ｙとを個別の信号線を用いて送信するケーブル４をＤＶＤレコーダ３に接続するときに用いられるものである。
【００２８】
図４、５に示すように、映像用端子４のプラグ４１は樹脂で形成された中空の本体部４１１と、本体部４１１に挿入され一部が本体部４１１より突出した導電性を有する円筒形状の接地ピン４１２と、本体部４１１に挿入され一部が本体部４１１より突出した接地ピン４１２と同一中心軸を有する第１円筒形状ピン４１３と、第１円筒形状ピン４１３よりも小径で形成されており第１円筒形状ピン４１３の先端部より突出した第２円筒形状ピン４１４と、第２円筒形状ピン４１４よりもさらに小径で形成され、第２円筒形状ピン４１４の先端部より突出した中央ピン４１５とを有している。
【００２９】
図５等に示すように、第１円筒形状ピン４１３は第２円筒形状ピン４１４よりも大径の円筒形状を有して形成されている。第２円筒形状ピン４１４は絶縁部材４１６を介して第１円筒形状ピン４１３の内部に配置されている。第２円筒形状ピン４１４は中央ピン４１５よりも大径の円筒形状有して形成されており、中央ピン４１５は絶縁部材４１７を介して第２ピン４１５の内部に配置されている。そして、第１円筒形状ピン４１３は絶縁部材４１８を介して接地ピン４１２の内部に配置されている。第１円筒形状ピン４１３、第２円筒形状ピン４１４、中央ピン４１５及び接地ピン４１２は図示を省略しているが、本体部４１１にずれないように固定されている。
【００３０】
図４に示すようにケーブル５は輝度信号Ｙ用の第１信号線５１と、色差信号Ｃｂ用の第２信号線５２と、色差信号Ｃｒ用の第３信号線５３と、接地線５４とを有している。これらの電線は外周部を絶縁性を有する被覆部材で覆われており、４本の電線が並んで配置されているものであってもよく、４本の電線がまとめられてひとつの被覆部材に覆われているものであってもよい。
【００３１】
図４に示すように、接地線５４は接地ピン４１２と電気的に接続されている。また、第１信号線５１は第１円筒形状ピン４１３と、第２信号線５２は第２円筒形状ピン４１４と、第３信号線５３は中央ピン４１５とそれぞれ電気的に接続されている。これらの接続は、それには限定されないがここでははんだ付けにて行われるものである。はんだ付け以外にも、固定及び電気信号の搬送が確実に行えるものを広く採用することが可能である。
【００３２】
図５に示すレセプタクル４２は、中空の直方体形状のケース４２１と、接地ピン４１２と当接する接地部４２２と、ケース４２１内部に配置された第１接続部４２３と、第２接続部４２４と、第３接続部４２５とを有している。ケース４２１はＤＶＤレコーダ３に固定されている。接地部４２２はＤＶＤレコーダ３の外部に露出した円筒形状の部材であり、中空の部分を通過してプラグ４１の第１円筒形状ピン４１３、第２円筒形状ピン４１４及び中央ピン４１５がケース４２１の内部に挿入される。接地部４２２は接地ピン４１２と接触して支持している。また、接地部４２２の内壁部は絶縁性を有する材料で形成されているとともに、プラグ４１の第１円筒形状ピン４１３と非接触となるように形成されている。
【００３３】
第１接続部４２３はプラグ４１がレセプタクル４２に挿入されている状態のときに、第１円筒形状ピン４１３と接触し、第１円筒形状ピン４１３より輝度信号Ｙが入力される。また、第２接続部４２４は第２円筒形状ピン４１４と接触し、第２円筒形状ピン４１４より色差信号Ｃｂが、第３接続部４２５は中央ピン４１５と接触し、中央ピン４１５より色差信号Ｃｒが入力される。第１接続部４２３、第２接続部４２４及び第３接続部４２５は独立して図示を省略した映像生成装置に接続されている。
【００３４】
上述した映像用端子４は、入力端子であったが、出力端子でも同様である。このように、輝度信号Ｙ用のピン（第１円筒形状ピン４１３）と、色差信号Ｃｂ用のピン（第２円筒形状ピン４１４）と、色差信号Ｃｒ用のピン（中央ピン４１５）とを同一中心軸になるように形成することで、これらを個別の端子で形成しているコンポーネント端子に比べて、接続が容易である。また、輝度信号Ｙ、色差信号Ｃｂ、色差信号Ｃｒの各端子のプラグとレセプタクルを確認することなしに接続することも可能である。
【００３５】
以上、発明の実施形態を具体的に説明したが、本発明は上記実施形態に限定するものではなく、その要旨を逸脱しない範囲で種々変更可能である。
【産業上の利用可能性】
【００３６】
本発明は、ＡＶ機器を接続するときに用いられる端子に適応することが可能である。
【図面の簡単な説明】
【００３７】
【図１】本発明にかかる映像信号用端子の一例を示す図である。
【図２】図１に示す映像信号用端子のプラグの断面図である。
【図３】図１に示す映像信号用端子のレセプタクルの断面図である。
【図４】本発明にかかる映像信号用端子の他の例の側面図である。
【図５】図４に示す映像信号用端子のプラグの断面図である。
【図６】図４に示す映像信号用端子の接続状態を示す図である。
【符号の説明】
【００３８】
１  映像用端子
１１  プラグ
１１１  本体部
１１２  接地ピン
１１３  円筒形状ピン
１１４  中央ピン
１１５  絶縁部材
１１６  絶縁部材
１２  レセプタクル
１２１  ケース
１２２  接地部
１２３  第１接続部
１２４  第２接続部
２  ケーブル
３  ＤＶＤレコーダ
４  映像用端子
４１  プラグ
４１１  本体部
４１２  接地ピン
４１３  第１円筒形状ピン
４１４  第２円筒形状ピン
４１５  中央ピン
４１６  絶縁部材
４１７  絶縁部材
４１８  絶縁部材
【図１】
2008294874.tif 000003
【図２】
2008294874.tif 000004
【図３】
2008294874.tif 000005
【図４】
2008294874.tif 000006
【図５】
2008294874.tif 000007
【図６】
2008294874.tif 000008